(57)【要約】  画像信号に応じた画像を投写して表示する投写型表示装置は、画像を投写するための光源と、コイルとスイッチを備えコイルの電磁誘導を利用して電流を出力し前記スイッチにより前記電流の大きさを変更する出力手段と、投写型表示装置を冷却する回転数を変更可能な冷却ファンと、第１電流を断続的に光源に供給する第１モードの指示を受け付けると、出力手段の出力電流を第１電流に設定して断続的に光源に供給し且つ冷却ファンの回転数を第１回転数に設定し、第１電流よりも小さい第２電流を継続的に光源に供給する第２モードの指示を受け付けると、出力手段の出力電流を第２電流に設定して継続的に光源に供給し且つ冷却ファンの回転数を第１回転数よりも低い第２回転数に設定する制御手段と、を含む。
2013105267.tif 000002
【特許請求の範囲】
【請求項１】
画像信号に応じた画像を投写して表示する投写型表示装置であって、
前記画像を投写するための光源と、
コイルと、スイッチを備え、前記コイルの電磁誘導を利用して電流を出力し、前記スイッチにより前記電流の大きさを変更する出力手段と、
前記投写型表示装置を冷却する回転数が変更可能な冷却ファンと、
第１電流を断続的に前記光源に供給する第１モードの指示を受け付けると、前記スイッチを制御して前記出力手段の出力電流を前記第１電流に設定して断続的に前記光源に供給させるとともに前記冷却ファンの回転数を第１回転数に設定し、前記第１電流よりも小さい第２電流を継続的に前記光源に供給する第２モードの指示を受け付けると、前記スイッチを制御して前記出力手段の出力電流を前記第２電流に設定して継続的に前記光源に供給させるとともに前記冷却ファンの回転数を前記第１回転数よりも低い第２回転数に設定する制御手段と、を含む投写型表示装置。
【請求項２】
請求項１に記載の投写型表示装置において、
前記制御手段は、前記第１モードの指示を受け付けると、前記画像信号にて表される明るさに応じて前記所定周波数のＰＷＭ信号を生成し、該ＰＷＭ信号に従って前記第１電流を前記所定周波数で断続的に前記光源に供給する、投写型表示装置。
【請求項３】
請求項１または２に記載の投写型表示装置において、
前記光源は、ＬＥＤである、投写型表示装置。
【請求項４】
画像信号に応じた画像を投写するための光源と、コイルとスイッチを備え該コイルの電磁誘導を利用して電流を出力し前記スイッチにより前記電流の大きさを変更する出力手段と、自装置を冷却する回転数を変更可能な冷却ファンと、を含む投写型表示装置での動作制御方法であって、
第１電流を断続的に前記光源に供給する第１モードの指示を受け付けると、前記スイッチを制御して前記出力手段の出力電流を前記第１電流に設定して断続的に前記光源に供給させるとともに前記冷却ファンの回転数を第１回転数に設定し、
前記第１電流よりも小さい第２電流を継続的に前記光源に供給する第２モードの指示を受け付けると、前記出力手段の出力電流を前記第２電流に設定して継続的に前記光源に供給させるとともに前記冷却ファンの回転数を前記第１回転数よりも低い第２回転数に設定する、投写型表示装置の動作制御方法。
【発明の詳細な説明】
【技術分野】
【０００１】
本発明は、例えば、発光ダイオード（以下「ＬＥＤ」（Light Emitting Diode）と称する）などの半導体発光素子を光源として用いた投写型表示装置および投写型表示装置の動作制御方法に関する。
【背景技術】
【０００２】
スクリーンに画像を投写する投写型表示装置（例えば、プロジェクタ）として、高圧水銀ランプの代わりにＬＥＤを光源として利用した投写型表示装置が知られている。【０００３】
図１Ａおよび図１Ｂは、ＬＥＤを点灯する光源駆動部２００の一例を示した図である。なお、図１Ａおよび図１Ｂに示した光源駆動部２００は、定電流降圧型のＤＣ−ＤＣコンバータとして知られている。【０００４】
図１Ａおよび図１Ｂにおいて、ＬＥＤ１０１と直列に接続された電圧検出抵抗１０２の両端電圧が、基準電圧生成部１０３にて生成された基準電圧と同等になるように、電圧制御部１０４は、スイッチ素子１０５および１０６のオン／オフのタイミングを制御する。【０００５】
具体的には、電圧制御部１０４では、誤差アンプ１０４ａが、電圧検出抵抗１０２の両端電圧と基準電圧との差を検出する。ＰＷＭ部１０４ｂは、誤差アンプ１０４ａが検出した差に応じてＰＷＭ信号を生成する。ドライバ１０４ｃは、ＰＷＭ部１０４ｂが生成したＰＷＭ信号に従ってスイッチ素子１０５および１０６のオン／オフを制御する。なお、ドライバ１０４ｃは、スイッチ素子１０５をオンにするときスイッチ素子１０６をオフにし、スイッチ素子１０５をオフにするときスイッチ素子１０６をオンにする。【０００６】
インダクタ１０７は、スイッチ素子１０５および１０６のオン／オフに応じて生じる電磁誘導によって、電流をＬＥＤ１０１に供給する。【０００７】
なお、図１Ａでは、ＬＥＤ１０１のカソード側がＧＮＤ（グランド）に接続されているため、ＡＣ／ＤＣ電圧変換部１０８から正の値の電圧が供給される。一方、図１Ｂでは、ＬＥＤ１０１のアノード側がＧＮＤに接続されているため、ＡＣ／ＤＣ電圧変換部１０８から負の値の電圧が供給される。【０００８】
特許文献１には、光源としてＬＥＤを用い、かつ、画像信号が表す輝度に応じて単位時間におけるＬＥＤの点灯時間を調整する投写型表示装置が記載されている。【０００９】
特許文献１に記載の投写型表示装置では、単位時間に対するＬＥＤの点灯時間の割合を示すＬＥＤ点灯デューティが、画像信号が表す輝度に応じてダイナミックに変化する。【００１０】
以下、ＬＥＤ点灯デューティを画像信号が表す輝度に応じて制御する機能を、「ダイナミック調光機能」と称する。【００１１】
図２Ａおよび図２Ｂは、ダイナミック調光機能の一例を説明するための図であり、具体的には、画像信号が表す輝度（画像信号レベル）とＬＥＤ点灯デューティとの関係を示した図である。図２Ａにおいて、グラフａは、画像信号レベルの推移を表し、図２Ｂにおいて、グラブｂは、ＬＥＤ点灯デューティの推移を表す。【００１２】
ＬＥＤ点灯デューティを制御する技術は、ＬＥＤに供給する駆動信号（例えば、駆動電流信号）に対してＰＷＭ（pulse width modulation）制御を行うことで実現される。【００１３】
ＰＷＭ制御が施されるＬＥＤの駆動信号の周波数は、明るさのちらつきが認識されず、かつ、ＬＥＤが追従できる範囲（２００Ｈｚ〜１ｋＨｚ）内で設定されることが一般的である。【００１４】
駆動信号の周波数として用いられる周波数範囲（２００Ｈｚ〜１ｋＨｚ）は、人間の可聴周波数の範囲（２０Ｈｚ〜２０ｋＨｚ）に含まれる。【００１５】
このため、投写型表示装置が、図１Ａまたは図１Ｂに示したようなインダクタを有する光源駆動部を備える場合、光源駆動部内のインダクタが駆動信号の周波数に応じて鳴き音（音鳴き）を発生するという弊害が生じる。【００１６】
しかしながら、多くの投写型表示装置には、投写型表示装置内の機器を冷却するための冷却ファンが備えられており、この冷却ファンの駆動音によって、インダクタの鳴き音は掻き消されていた。
【先行技術文献】
【特許文献】
【００１７】
【特許文献１】特開２００６−３３０７４３号公報
【発明の概要】
【発明が解決しようとする課題】
【００１８】
投写型表示装置では、例えば、小さいスクリーンに画像を投写する場合に画像が過度に明るくなることを防ぐために、光源の明るさを低下させることが考えられる。そして、光源の明るさの低下に伴い、投写型表示装置での発熱量の低下が見込まれるため、光源の明るさが低下したときに、冷却ファンの回転数を下げることが考えられる。【００１９】
しかしながら、特許文献１に記載の投写型表示装置のように点灯デューティを調整して光源の明るさを制御する投写型表示装置が、インダクタを有する光源駆動部を備える場合には、冷却ファンの回転数が低下して冷却ファンの駆動音が小さくなると、インダクタの鳴き音が、ユーザに認識され易くなるという課題が生じる。【００２０】
本発明の目的は、上記課題を解決可能な投写型表示装置および投写型表示装置の動作制御方法を提供することである。
【課題を解決するための手段】
【００２１】
本発明の投写型表示装置は、
画像信号に応じた画像を投写して表示する投写型表示装置であって、
前記画像を投写するための光源と、
コイルと、スイッチを備え、前記コイルの電磁誘導を利用して電流を出力し、前記スイッチにより前記電流の大きさを変更する出力手段と、
前記投写型表示装置を冷却する回転数が変更可能な冷却ファンと、
第１電流を断続的に前記光源に供給する第１モードの指示を受け付けると、前記スイッチを制御して前記出力手段の出力電流を前記第１電流に設定して断続的に前記光源に供給させるとともに前記冷却ファンの回転数を第１回転数に設定し、前記第１電流よりも小さい第２電流を継続的に前記光源に供給する第２モードの指示を受け付けると、前記スイッチを制御して前記出力手段の出力電流を前記第２電流に設定して継続的に前記光源に供給させるとともに前記冷却ファンの回転数を前記第１回転数よりも低い第２回転数に設定する制御手段と、を含む。【００２２】
本発明の投写型表示装置の動作制御方法は、
画像信号に応じた画像を投写するための光源と、コイルとスイッチを備え該コイルの電磁誘導を利用して電流を出力し前記スイッチにより前記電流の大きさを変更する出力手段と、自装置を冷却する回転数を変更可能な冷却ファンと、を含む投写型表示装置での動作制御方法であって、
第１電流を断続的に前記光源に供給する第１モードの指示を受け付けると、前記スイッチを制御して前記出力手段の出力電流を前記第１電流に設定して断続的に前記光源に供給させるとともに前記冷却ファンの回転数を第１回転数に設定し、
前記第１電流よりも小さい第２電流を継続的に前記光源に供給する第２モードの指示を受け付けると、前記出力手段の出力電流を前記第２電流に設定して継続的に前記光源に供給させるとともに前記冷却ファンの回転数を前記第１回転数よりも低い第２回転数に設定する。
【発明の効果】
【００２３】
本発明によれば、光源の輝度を低くしつつ騒音を抑制することが可能になる。
【図面の簡単な説明】
【００２４】
【図１Ａ】光源駆動部の一例を示した図である。
【図１Ｂ】光源駆動部の一例を示した図である。
【図２Ａ】ダイナミック調光機能の一例を説明するための図である。
【図２Ｂ】ダイナミック調光機能の一例を説明するための図である。
【図３】本発明の一実施形態の投写型表示装置１００を示したブロック図である。
【図４Ａ】光源駆動部１０ｘを示した図である。
【図４Ｂ】光源駆動部１０ｙを示した図である。
【図５】投写型表示装置１００の動作状態をまとめた図である。
【発明を実施するための形態】
【００２５】
以下、本発明の実施形態について図面を参照しながら説明する。
【００２６】
図３は、本発明の一実施形態の投写型表示装置１００を示したブロック図である。
【００２７】
投写型表示装置１００は、ダイナミック調光機能を有する３板式の投写型表示装置である。
【００２８】
投写型表示装置１００は、画像信号受付部１と、空間光変調信号生成部２と、光源部３Ｒ（赤）、３Ｇ（緑）および３Ｂ（青）と、空間光変調装置４Ｒ、４Ｇおよび４Ｂと、クロスダイクロイックプリズム５と、投写レンズ６と、光強度検出部７Ｒ、７Ｇおよび７Ｂと、冷却ファン８と、ＡＣ／ＤＣ電圧変換部９と、光源駆動部１０Ｒ、１０Ｇおよび１０Ｂと、制御部１１と、を含む。制御部１１は、基準電圧生成部１１１Ｒ、１１１Ｇおよび１１１Ｂと、記憶部１１２と、調節部１１３と、を含む。
【００２９】
画像信号受付部１は、例えばＰＣ（パーソナルコンピュータ）等の外部機器から画像信号を受け付ける。画像信号受付部１は、画像信号を空間光変調信号生成部２に出力する。
【００３０】
空間光変調信号生成部２は、画像信号を受け付けると、その画像信号から、Ｒ用画像信号とＧ用画像信号とＢ用画像信号とを生成する。Ｒ用画像信号とＧ用画像信号とＢ用画像信号とは、空間光変調信号の一例である。
【００３１】
空間光変調信号生成部２は、Ｒ用画像信号を空間光変調装置４Ｒに出力し、Ｇ用画像信号を空間光変調装置４Ｇに出力し、Ｂ用画像信号を空間光変調装置４Ｂに出力する。また、空間光変調信号生成部２は、画像信号を調節部１１３に出力する。
【００３２】
光源部３Ｒ、３Ｇおよび３Ｂは、それぞれ、赤色の光を発する赤色ＬＥＤ、緑色の光を発する緑色ＬＥＤ、および、青色の光を発する青色ＬＥＤである。光源部３Ｒ、３Ｇおよび３Ｂは、画像信号に応じた画像（映像光）を投写するために用いられる。
【００３３】
光源部３Ｒは、クロスダイクロイックプリズム５の面５Ｒに対向するように配置され、面５Ｒに向かって赤色の光を照射する。
【００３４】
光源部３Ｇは、クロスダイクロイックプリズム５の面５Ｇに対向するように配置され、面５Ｇに向かって緑色の光を照射する。
【００３５】
光源部３Ｂは、クロスダイクロイックプリズム５の面５Ｂに対向するように配置され、面５Ｂに向かって青色の光を照射する。
【００３６】
空間光変調装置４Ｒ、４Ｇおよび４Ｂは、それぞれ、透過型液晶パネルである。
【００３７】
空間光変調装置４Ｒは、光源部３Ｒと面５Ｒとの間に配置されている。空間光変調装置４Ｒは、光源部３Ｒからの赤色の光を、Ｒ用画像信号に応じて変調する。
【００３８】
空間光変調装置４Ｇは、光源部３Ｇと面５Ｇとの間に配置されている。空間光変調装置４Ｇは、光源部３Ｇからの緑色の光を、Ｇ用画像信号に応じて変調する。
【００３９】
空間光変調装置４Ｂは、光源部３Ｂと面５Ｂとの間に配置されている。空間光変調装置４Ｂは、光源部３Ｂからの青色の光を、Ｂ用画像信号に応じて変調する。
【００４０】
クロスダイクロイックプリズム５は、Ｒ用画像信号に応じて変調された赤色の光と、Ｇ用画像信号に応じて変調された緑色の光と、Ｂ用画像信号に応じて変調された青色の光と、を合成して、画像信号に応じた画像を生成する。
【００４１】
投写レンズ６は、クロスダイクロイックプリズム５にて生成された画像を、スクリーン等の投写面（不図示）に投写する。
【００４２】
光強度検出部７Ｒ、７Ｇおよび７Ｂは、それぞれ、光源部３Ｒからの赤色の光の強度、光源部３Ｇからの緑色の光の強度、および、光源部３Ｂからの青色の光の強度を検出する。
【００４３】
冷却ファン８は、投写型表示装置１００を冷却する。冷却ファン８は、自己（冷却ファン８）の回転数を変更可能である。
【００４４】
ＡＣ／ＤＣ電圧変換部９は、商用交流電源からの交流電圧（以下「ＡＣ電圧」と称する）を直流電圧に変換する。
【００４５】
光源駆動部１１２Ｒ、１１２Ｇおよび１１２Ｂは、出力手段の一例である。光源駆動部１１２Ｒ、１１２Ｇおよび１１２Ｂは、それぞれ、コイルを備え、コイルの電磁誘導を利用して電流を出力する。また、光源駆動部１１２Ｒ、１１２Ｇおよび１１２Ｂは、電流の大きさを変更可能である。
【００４６】
光源駆動部１１２Ｒ、１１２Ｇおよび１１２Ｂは、それぞれ、光源部３Ｒ、３Ｇおよび３Ｂを駆動する。
【００４７】
制御部１１は、制御手段の一例である。
【００４８】
制御部１１は、ダイナミック調光モードと、エコモードと、を有する。ダイナミック調光モードは、第１モードの一例である。エコモードは、第２モードの一例である。
【００４９】
制御部１１は、ダイナミック調光モードの指示を受け付けると、光源駆動部１１２Ｒ、１１２Ｇおよび１１２Ｂからの電流を第１電流（本実施形態では、２０Ａ）に設定し、第１電流を可聴周波数帯域（２０Ｈｚ〜２０ｋＨｚ）内の所定周波数（例えば、６０Ｈｚ）で断続的に光源部３Ｒ、３Ｇおよび３Ｂに供給する。
【００５０】
なお、本実施形態では、制御部１１は、ダイナミック調光モードの指示を受け付けると、画像信号にて表される明るさ（画像信号レベル）に応じて所定周波数のＰＷＭ信号を生成し、そのＰＷＭ信号に従って第１電流を所定周波数で断続的に光源部３Ｒ、３Ｇおよび３Ｂに供給する。つまり、制御部１１は、ダイナミック調光モードでは、ダイナミック調光機能を用いて、図２に示したように、光源部３Ｒ、３Ｇおよび３Ｂの動作を、画像信号の表す輝度（画像信号レベル）に応じて制御する。
【００５１】
本実施形態では、制御部１１は、画像信号の表す輝度が高くなるほど、単位時間における光源部３Ｒ、３Ｇおよび３Ｂの点灯時間を長くする。
【００５２】
制御部１１は、エコモードの指示を受け付けると、光源駆動部１１２Ｒ、１１２Ｇおよび１１２Ｂからの電流を、第１電流よりも小さい第２電流（本実施形態では、１０Ａ）に設定し、第２電流を継続的に光源部３Ｒ、３Ｇおよび３Ｂに供給する。つまり、制御部１１は、エコモードでは、ダイナミック調光モード時の光源部３Ｒ、３Ｇおよび３Ｂの最高輝度よりも低い輝度で、光源部３Ｒ、３Ｇおよび３Ｂを継続的に点灯する。
【００５３】
基準電圧生成部１１１Ｒ、１１１Ｇおよび１１１Ｂは、それぞれ、光源部３Ｒに印加される電圧の基準値、光源部３Ｇに印加される電圧の基準値、および、光源部３Ｂに印加される電圧の基準値を生成する。
【００５４】
図４Ａおよび図４Ｂは、光源駆動部１０Ｒ、１０Ｇおよび１０Ｂとして使用可能な光源駆動部１０ｘおよび１０ｙを示した図である。
【００５５】
なお、図４Ａおよび図４Ｂにおいて、図１Ａ、図１Ｂまたは図３に示したものと同一構成のものには同一符号を付してある。
【００５６】
図４Ａに示した光源駆動部１０ｘは、図１Ａに示した光源駆動部２００に対して、スイッチ素子１００１とドライバ１００２が追加された光源駆動部である。また、図４Ｂに示した光源駆動部１０ｙは、図１Ｂに示した光源駆動部２００に対して、スイッチ素子１００１とドライバ１００２が追加された光源駆動部である。
【００５７】
スイッチ素子１００１は、ＬＥＤ３と並列に接続されている。ドライバ１００２、調節部１１３にてオン／オフが制御される。
【００５８】
図３において、記憶部１１２は、ダイナミック調光モードでの基準電圧および冷却ファン８の回転数と、エコモードでの基準電圧および冷却ファン８の回転数と、モード非選択時での基準電圧、冷却ファン８の回転数および光強度基準値と、を記憶する。
【００５９】
本実施形態では、記憶部１１２は、ダイナミック調光モードでの基準電圧および冷却ファン８の回転数として、基準電圧５０ｍＶおよび冷却ファン８の回転数２，０００ｒｐｍを記憶する。
【００６０】
また、記憶部１１２は、エコモードでの基準電圧および冷却ファン８の回転数として、基準電圧２５ｍＶおよび冷却ファン８の回転数１，０００ｒｐｍを記憶する。
【００６１】
また、記憶部１１２は、モード非選択時における、基準電圧、冷却ファン８の回転数および光強度基準値として、基準電圧５０ｍＶ、冷却ファン８の回転数２，０００ｒｐｍおよび光強度基準値１０ｍＷを記憶する。
【００６２】
なお、ダイナミック調光モードでの基準電圧および冷却ファン８の回転数と、エコモードでの基準電圧および冷却ファン８の回転数と、モード非選択時での基準電圧、冷却ファン８の回転数および光強度基準値は、上記に限らず、ダイナミック調光モードでの基準電圧およびモード非選択時での基準電圧がエコモードでの基準電圧よりも高く、ダイナミック調光モードおよびモード非選択時での冷却ファン８の回転数がエコモードでの冷却ファン８の回転数よりも高ければよい。
【００６３】
調節部１１３は、ユーザにて設定されたモードを検出し、その検出されたモードに応じて、光源部３Ｒ、３Ｇおよび３Ｂの動作（具体的には、光源駆動部１０Ｒ、１０Ｇおよび１０Ｂの動作）と、冷却ファン８の動作と、を制御する。
【００６４】
次に、動作を説明する。
【００６５】
調節部１１３は、常にユーザにて設定されたモードの状態を確認する。
【００６６】
ユーザにてエコモードが設定された場合、調節部１１３は、エコモードにおける基準電圧および冷却ファン８の回転数の各設定値（基準電圧２５ｍＶ、冷却ファン８の回転数１，０００ｒｐｍ）を記憶部１１２から読み出す。
【００６７】
続いて、調節部１１３は、光源駆動部１０Ｒ、１０Ｇおよび１０Ｂ内の各ドライバ１００２（図４Ａまたは図４Ｂ参照）にスイッチ素子１００１をオフにする旨の指示信号を出力してスイッチ素子１００１をオフにし、かつ、基準電圧生成部１１１Ｒ、１１１Ｇおよび１１１Ｂに、エコモードでの基準電圧２５ｍＶを生成させ、かつ、冷却ファン８の回転数を、エコモードにおける冷却ファン８の回転数１，０００ｒｐｍに設定する。
【００６８】
なお、エコモードにおける冷却ファン８の回転数１，０００ｒｐｍは、第２回転数の一例である。
【００６９】
続いて、光源駆動部１０Ｒ、１０Ｇおよび１０Ｂでは、電圧制御部１０４は、電圧検出抵抗（例えば、抵抗値２．５ｍΩ）１０２の両端電圧が、基準電圧生成部１１１で生成された基準電圧値２５ｍＶと同等になるように、スイッチ素子１０５および１０６のオン／オフのタイミングを制御する。
【００７０】
これにより、光源部３Ｒ、３Ｇおよび３Ｂには、それぞれ、１０Ａ（＝２５ｍＶ÷２．５ｍΩ）の一定電流が流れる。なお、１０Ａの一定電流は、第２電流の一例である。
【００７１】
このとき、すなわちエコモードでは、調節部１１３は、光源駆動部１０Ｒ、１０Ｇおよび１０Ｂ内の各スイッチ素子１００１をオフしたままの状態、つまりＬＥＤ点灯Ｄｕｔｙ＝１００％と同じ状態とする。
【００７２】
したがって、光源駆動部１０Ｒ、１０Ｇおよび１０Ｂ内のインダクタ１０７からの鳴き音（音鳴き）は発生しなくなる。よって、エコモードでの空冷ファン８の回転数１，０００ｒｐｍを、ダイナミック調光モードでの冷却ファン８の回転数２，０００ｒｐｍよりも低下させても問題とならない。
【００７３】
次に、ユーザにてダイナミック調光モードが設定された場合、調節部１１３は、ダイナミック調光モードにおける基準電圧および空冷ファン８の回転数の各設定値（基準電圧５０ｍＶ、冷却ファン８の回転数２，０００ｒｐｍ）を記憶部１１２から読み出す。
【００７４】
続いて、調節部１１３は、図１に示すように、ＬＥＤ点灯デューティが空間光変調信号生成部２からの画像信号のレベルに応じて調節されるように、画像信号のレベルに応じて可聴周波数帯域内の所定周波数を有するＰＷＭ信号を生成し、そのＰＷＭ信号をドライバ１００２に出力し、かつ、基準電圧生成部１１１Ｒ、１１１Ｇおよび１１１Ｂに、ダイナミック調光モードでの基準電圧５０ｍＶを生成させ、かつ、冷却ファン８の回転数を、ダイナミック調光モードにおける冷却ファン８の回転数２，０００ｒｐｍに設定する。
【００７５】
なお、ダイナミック調光モードにおける冷却ファン８の回転数２，０００ｒｐｍは、第１回転数の一例である。
【００７６】
各ドライバ１００２は、ＰＷＭ信号を受け付けると、そのＰＷＭ信号に従ってスイッチ素子１００１のオン／オフをＰＷＭ信号の周波数で制御する。
【００７７】
光源駆動部１０Ｒ、１０Ｇおよび１０Ｂでは、電圧制御部１０４は、電圧検出抵抗（抵抗値２．５ｍΩ）１０２の両端電圧が、基準電圧生成部１１１で生成された基準電圧値５０ｍＶと同等になるように、スイッチ素子１０５および１０６のオン／オフのタイミングを制御する。
【００７８】
これにより、スイッチ素子１００１がオフ状態であるときには、ＬＥＤ３Ｒ、３Ｇおよび３Ｂには、それぞれ、２０Ａ（＝５０ｍＶ÷２．５ｍΩ）の一定電流が流れ、スイッチ素子１００１がオン状態であるときには、ＬＥＤ３Ｒ、３Ｇおよび３Ｂには電流は流れない。なお、２０Ａの一定電流は、第１電流の一例である。
【００７９】
このとき、すなわちダイナミック調光モードでは、調節部１１３は、光源駆動部１０Ｒ、１０Ｇおよび１０Ｂ内の各スイッチ素子１００１のオフとオフを、図２に示すような画像信号レベルに応じたＬＥＤ点灯Ｄｕｔｙ（例えば、ＰＷＭ周波数＝６００Ｈｚ）で切り換えている。
【００８０】
これにより光源駆動部１０Ｒ、１０Ｇおよび１０Ｂ内の各インダクタ１０７から鳴き音（音鳴き）が発生するが、空冷ファン８がエコモード時の回転数よりも高い回転数で回転しているので、各インダクタ１０７から鳴き音（音鳴き）は、空冷ファン８の駆動音に掻き消されて問題とならない。
【００８１】
次に、ユーザにてエコモードとダイナミック調光モードとのどちらも設定されなかった場合、調節部１１３は、モード非選択時における基準電圧値、空冷ファン８の回転数および光強度基準値の各設定値（基準電圧５０ｍＶ、冷却ファン８の回転数２，０００ｒｐｍ、および、光強度基準値１０ｍＷ）を記憶部１１２から読み出す。
【００８２】
続いて、調節部１１３は、基準電圧生成部１１１Ｒ、１１１Ｇおよび１１１Ｂに、ダイナミック調光モードでの基準電圧５０ｍＶを生成させ、かつ、冷却ファン８の回転数を、ダイナミック調光モードにおける冷却ファン８の回転数２，０００ｒｐｍに設定する。
【００８３】
光源駆動部１０Ｒ、１０Ｇおよび１０Ｂでは、電圧制御部１０４は、電圧検出抵抗（抵抗値２．５ｍΩ）１０２の両端電圧が、基準電圧生成部１１１で生成された基準電圧値５０ｍＶと同等になるように、スイッチ素子１０５および１０６のオン／オフのタイミングを制御する。
【００８４】
これにより、スイッチ素子１００１がオフ状態であるときには、ＬＥＤ３Ｒ、３Ｇおよび３Ｂには、それぞれ、２０Ａ（＝５０ｍＶ÷２．５ｍΩ）の一定電流が流れ、スイッチ素子１００１がオン状態であるときには、ＬＥＤ３Ｒ、３Ｇおよび３Ｂには、それぞれ、電流は流れない。
【００８５】
このとき、調節部１１３は、光源部３Ｒ、３Ｇおよび３Ｂからの光の強度を、光強度検出部７Ｒ、７Ｇおよび７Ｂを用いて検出し、光源部３Ｒ、３Ｇおよび３Ｂからの光の強度が光強度基準値になるように、ドライバ１００２にＰＷＭ信号を出力する。なお、このＰＷＭ信号の周波数は、可聴周波数帯域内の周波数である。
【００８６】
各ドライバ１００２は、ＰＷＭ信号を受け付けると、そのＰＷＭ信号に従ってスイッチ素子１００１のオン／オフをそのＰＷＭ信号の周波数で制御する。
【００８７】
これにより光源駆動部１０Ｒ、１０Ｇおよび１０Ｂ内の各インダクタ１０７から鳴き音（音鳴き）が発生するが、空冷ファン８がエコモード時の回転数よりも高い回転数で回転しているので、各インダクタ１０７から鳴き音（音鳴き）は、空冷ファン８の騒音に掻き消されて問題とならない。
【００８８】
図５は、投写型表示装置１００の動作状態をまとめた図である。
【００８９】
次に、本実施形態の効果を説明する。
【００９０】
本実施形態によれば、制御部１１は、光源部３Ｒ、３Ｇおよび３Ｂに２０Ａの電流を断続的に供給して光源部３Ｒ、３Ｇおよび３Ｂの点灯を制御するダイナミック調光モードと、光源部３Ｒ、３Ｇおよび３Ｂに１０Ａの電流を継続的に供給して光源部３Ｒ、３Ｇおよび３Ｂの点灯を制御するエコモードと、を有する。そして、制御部１１は、ダイナミック調光モードでは、冷却ファン８を２，０００ｒｐｍで回転し、エコモードでは冷却ファン８を１，０００ｒｐｍで回転する。
【００９１】
このため、ダイナミック調光モード時に、光源部３Ｒ、３Ｇおよび３Ｂに２０Ａの電流を可聴周波数帯域内の周波数で断続的に供給する場合には鳴き音が発生するが、ダイナミック調光モード時の冷却ファン８の回転数が、そのときの冷却ファン８の駆動音にて、その鳴き音が掻き消される回転数（第１回転数）に設定されれば、その鳴き音は掻き消される。そして、光源部３Ｒ、３Ｇおよび３Ｂの明るさを抑制するエコモードでは、鳴き音が発生しなくなる。よって、冷却ファン８の回転数をダイナミック調光モード時の回転数よりも低くして冷却ファン８の駆動音が小さくなっても、耳障りな鳴き音が、ユーザに認識されることが無くなる。したがって、光源の輝度を低くしつつ騒音を抑制することが可能になる。
【００９２】
また、本実施形態では、制御部１１は、ダイナミック調光モードでは、画像信号にて表される輝度に応じて可聴周波数帯域内の周波数のＰＷＭ信号を生成し、そのＰＷＭ信号に従って、光源部３Ｒ、３Ｇおよび３Ｂに２０Ａの電流を可聴周波数帯域内の周波数で断続的に供給する。
【００９３】
なお、上記実施形態において、第１電流として２０Ａの電流が用いられ、第２電流としいて１０Ａの電流が用いられたが、第１電流が第２電流よりも大きければ、第１電流と第２電流とは、２０Ａの電流と１０Ａの電流に限らず適宜変更可能である。
【００９４】
また、上記実施形態において、第１回転数として２，０００ｒｐｍが用いられ、第２回転数として１，０００ｒｐｍが用いられたが、第１回転数が第２回転数よりも高ければ、第１回転数と第２回転数とは、２，０００ｒｐｍと１，０００ｒｐｍに限らず適宜変更可能である。
【００９５】
また、上記実施形態では、投写型表示装置１００として３板式の投写型表示装置を用いたが、投写型表示装置１００は、３板式の投写型表示装置に限らず適宜変更可能である。
【００９６】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００９７】
１００    投写型表示装置
１    画像信号受付部
２    空間光変調信号生成部
３Ｒ、３Ｇ、３Ｂ  光源部
４Ｒ、４Ｇ、４Ｂ  空間光変調装置
５    クロスダイクロイックプリズム
６    投写レンズ
７Ｒ、７Ｇ、７Ｂ  光強度検出部
８    空冷ファン
９    ＡＣ／ＤＣ電圧変換部
１０Ｒ、１０Ｇ、１０Ｂ  光源駆動部
１１    制御部
１０２    電圧検出抵抗
１０４    電圧制御部
１０４ａ  誤差アンプ
１０４ｂ  ＰＷＭ部
１０４ｃ、１００２  ドライバ
１０５、１０６、１００１  スイッチ素子
１０７    インダクタ
１１１Ｒ、１１１Ｇ、１１１Ｂ  基準電圧生成部
１１２    記憶部
１１３    調節部
【図１Ａ】
2013105267.tif 000003
【図１Ｂ】
2013105267.tif 000004
【図２Ａ】
2013105267.tif 000005
【図２Ｂ】
2013105267.tif 000006
【図３】
2013105267.tif 000007
【図４Ａ】
2013105267.tif 000008
【図４Ｂ】
2013105267.tif 000009
【図５】
2013105267.tif 000010
【国際調査報告】
2013105267.tif 000011
2013105267.tif 000012
2013105267.tif 000013
2013105267.tif 000014